(57)【要約】      （修正有）【課題】本装置の取り付けと外しは便利で、メンテナンスコストを削減でき、工事期間を短縮できる改良されたＬＥＤ天井灯を提供する。【解決手段】ＬＥＤライト２の上部に雄ネジを持つ連結部分２０１があり、固定プレート１の中部に連結部分２０１とセットになるネジ穴があり、固定プレート１の表に二つの四角状の溝１０１が対称的に配置され、その四角状溝１０１が下部に楕円形の位置決めプレート３があり、位置決めプレート３の上部に固定ロッド４と繋ぎ、固定ロッド４が四角状の溝１０１に配置され、更に固定ロッド４の上部にキャップが設置され、キャップの幅が四角状溝１０１の幅より広く、固定プレート１と四角状溝１０１の間にバネ５があり、そのバネ５は固定ロッド４の固定プレート１中心と反対する側面に設置され、連結部分２０１に一つの楕円形プッシュブロック６が固定され、そのプッシュブロック６両端に凹部があり、その凹部は位置決めプレート３とセットになる。【選択図】図１
0003191420.tif 000002
【実用新案登録請求の範囲】
【請求項１】
天井灯であり、その特徴は：固定プレートとLEDライトを含み、前述したLEDライトの上部に雄ネジを持つ連結部分があり、前述した固定プレートの中部に前述した連結部品とセットになるネジ穴があり、前述した固定プレートの表に二つの四角状の溝が対称的に配置され、その四角状溝が下部に楕円形の位置決めプレートがあり、前述した位置決めプレートの上部に固定ロッドと繋ぎ、前述した固定ロッドが四角状の溝に配置され、前述した連結部分に一つの楕円形プッシュブロックが固定され、そのプッシュブロック両端に凹部があり、その凹部は位置決めプレートとセットとなることを特徴とする天井灯。
【請求項２】
請求項１に記載の天井灯において、その特徴は：前述した位置決めプレートはプッシュブロックと連動する時、前述した位置決めプレートのプッシュブロックに離れた端が固定プレートの外側まで伸びることを特徴とする天井灯。
【請求項３】
請求項１に記載の天井灯において、その特徴は：前述した固定ロッドが長方形棒であることを特徴とする天井灯。
【請求項４】
請求項１に記載の天井灯において、その特徴は：前述した凹部とプッシュブロックの間はアーク転移であることを特徴とする天井灯。
【考案の詳細な説明】
【技術分野】
【０００１】
本実用新案は天井灯に関わる。
【背景技術】
【０００２】
市場に出回っているLED天井灯の固定方法は主にスナップ式であり、取り付けと外しは不便であり、普通の住宅にある天井灯が壊れた場合、通常専門業者を依頼して修理しなければならなく、LED天井灯の使用コストが増加され、実用性が低い。
【考案の概要】
【考案が解決しようとする課題】
【０００３】
本実用新案の解決したい技術課題とはある種の改良されたLED天井灯を提供することである。本装置の取り付けと外しは便利で、後期のメンテナンスコストを削減でき、工事期間を短縮できる。
【課題を解決するための手段】
【０００４】
上述した課題を解決する為、本実用新案は以下の技術案を採用する：
【０００５】
天井灯であり、固定プレートとLEDライトを含み、前述したLEDライトの上部に雄ネジを持つ連結部分があり、前述した固定プレートの中部に前述した連結部品とセットになるネジ穴があり、前述した固定プレートの表に二つの四角状の溝が対称的に配置され、その四角状溝が下部に楕円形の位置決めプレートがあり、前述した位置決めプレートの上部に固定ロッドと繋ぎ、前述した固定ロッドが四角状の溝に配置され、更に固定ロッドの上部にキャップが設置され、キャップの幅が四角状溝の幅より広く、前述した固定プレートと四角状溝の間にバネがあり、そのバネは固定ロッドの固定プレート中心と反対する側面に設置され、前述した連結部分に一つの楕円形プッシュブロックが固定され、そのプッシュブロック両端に凹部があり、その凹部は位置決めプレートとセットとなる。
【０００６】
最適な技術案として、前述した位置決めプレートはプッシュブロックと連動する時、前述した位置決めプレートのプッシュブロックに離れた端が固定プレートの外側まで伸びる。
【０００７】
最適な技術案として、前述した固定ロッドが長方形棒である。
【０００８】
最適な技術案として、前述した凹部とプッシュブロックの間はアーク転移である。
【考案の効果】
【０００９】
本実用新案の有益な効果は：取り付ける際、固定プレートを天井に入れて、LEDライトを回すだけで、プッシュブロックの作用を通じて、固定プレートが外部へ伸ばし、固定作業が完了出来る。本装置の固定は非常に簡単で、後期のメンテナンスに便利で、改造工程において、工事期間を短縮でき、普及して利用することに適応する。
【図面の簡単な説明】
【００１０】
【図１】本実用新案の構造図である。
【図２】本実用新案の上面図である。
【図３】プッシュブロックと固定プレートがセットになった状態の図である。
【図４】プッシュブロックと固定プレートが離れた状態の図である。
【考案を実施するための形態】
【００１１】
以下は添付した図に従って、本実用新案の最適な技術実例を詳しく説明し、本実用新案の長所と特徴を本技術分野の技術者によく簡単に理解させ、よって、本実用新案の保護範囲をより明白に定める。
【００１２】
図1から図４までに示されたある種の改良された天井灯を参照して、固定プレート１とLEDライト２を含み、前述したLEDライト２の上部に雄ネジを持つ連結部分201があり、前述した固定プレート１の中部に前述した連結部分201とセットになるネジ穴（図に示されなかった）があり、前述した固定プレート１の表に二つの四角状の溝101が対称的に配置され、その四角状溝101が下部に楕円形の位置決めプレート３があり、前述した位置決めプレート３の上部に固定ロッド４と繋ぎ、前述した固定ロッド４が四角状の溝101に配置され、更に固定ロッド４の上部にキャップが設置され、キャップの幅が四角状溝101の幅より広く、前述した固定プレート１と四角状溝101の間にバネ５があり、そのバネ５は固定ロッド４の固定プレート１中心と反対する側面に設置され、前述した連結部分201に一つの楕円形プッシュブロック６が固定され、そのプッシュブロック６両端に凹部601があり、その凹部601は位置決めプレート３とセットになる。
【００１３】
本実用新案の良い技術案として、前述した位置決めプレート３はプッシュブロック６と連動する時、前述した位置決めプレート３のプッシュブロック６に離れた端が固定プレート１の外側まで伸びる。
【００１４】
本実用新案の良い技術案として、前述した固定ロッド４が長方形棒である。
【００１５】
本実用新案の良い技術案として、前述した凹部601とプッシュブロック６の間はアーク転移である。
【００１６】
本実用新案の有益な効果は：取り付ける際、固定プレートを天井に入れて、LEDライトを回すだけで、プッシュブロックの作用を通じて、固定プレートが外部へ伸ばし、固定作業が完了出来る。本装置の固定は非常に簡単で、後期のメンテナンスに便利で、改造工程において、工事期間を短縮でき、普及して利用することに適応する。
【００１７】
以上は本実用新案の基本原理、主要特徴と本実用新案の長所を示した。本分野の技術者は、本実用新案が上述した実施例に制限されなく、上述した実施例と説明書に述べたものは、単なる本実用新案の原理を説明だけで、本実用新案の精神と範囲を抜けない前提で、本実用新案はまだ様々な変化と改善が現れるはずで、これらの変化と改善は全て保護される本実用新案の範囲に含まれることを理解すべき。本実用新案の要求された保護範囲は添付した権利要求書及び同等物によって定義される。
【符号の説明】
【００１８】
１  固定プレート
２  LEDライト
３  位置決めプレート
４  固定ロッド
５  バネ
６  プッシュブロック
101  溝
201  連結部分
601  凹部
【図１】
0003191420.tif 000003
【図２】
0003191420.tif 000004
【図３】
0003191420.tif 000005
【図４】
0003191420.tif 000006